(57)【要約】【課題】  他の人の手を借りることなく薬剤を身体に塗布することができ、かつ、その作業を一器具で容易に行なえるようにする身体塗布剤容器ホルダを提供することを目的とする。【解決手段】  身体塗布剤を収納した塗布剤容器１を着脱自在に取り付ける保持部材２と、先端に保持部材２を塗布角度調整可能に枢着したハンドル部材３と、を備えた。【選択図】  図２
2005125173.tif 000002
【特許請求の範囲】
【請求項１】
身体塗布剤を収納した塗布剤容器（１）を着脱自在に取り付ける保持部材（２）と、先端に上記保持部材（２）を塗布角度調整可能に枢着したハンドル部材（３）と、を備えたことを特徴とする身体塗布剤容器のホルダ。
【請求項２】
身体塗布剤を収納した塗布剤容器（１）を着脱自在に取り付ける保持部材（２）と、先端に上記保持部材（２）を塗布角度調整可能に枢着したハンドル部材（３）と、を備え、さらに、上記保持部材（２）は、上記ハンドル部材（３）の先端に枢着される本体片部（４）と、該本体片部（４）の左右にヒンジ部（５）（５）を介して開閉可能に連結された挟着片（６）（６）と、を備え、かつ、挟着片（６）（６）の外面に複数の係止凹溝（７）（７）を形成すると共に、上記ハンドル部材（３）はグリップ部（８）から延伸された２本の弾性変形自在な線材（９）（９）を有し、該線材（９）（９）の先端が上記凹溝（７）（７）に択一的に係止して、塗布面を調整可能としたことを特徴とする身体塗布剤容器のホルダ。
【請求項３】
上記２本の弾性変形自在な線材（９）（９）に、スライド自在に取り付けられて２本の該線材（９）（９）の間隔を縮小する方向へ押圧規制して、上記係止凹溝（７）（７）への該線材（９）（９）の先端の係止を維持するためのスライドブロック体（10）を、付設した請求項２記載の身体塗布剤容器のホルダ。
【請求項４】
上記挟着片（６）（６）の外面に於いて、上記係止凹溝（７）（７）は、上記線材（９）（９）の先端の枢着点（11）を中心とする放射状に設置されている請求項２又は３記載の身体塗布剤容器のホルダ。
【発明の詳細な説明】
【技術分野】
【０００１】
本発明は、容器保持器具に関するものである。
【背景技術】
【０００２】
肩こりや筋肉痛等の症状の解消又は緩和に使用される薬剤は、容器に封入されているものがあり、その薬剤入り容器は、薬剤が浸出してくる容器の部位を患部に当て薬剤を塗布する構造になっているものが多い。そして、その容器を使用する際は、薬剤容器を人の手に直接取って肩や背面等に塗布していた。また、背面を掻く器具として孫の手があるが、その先端に薬剤容器を取り付けることはできなかった（例えば、特許文献１参照）。
さらに、その薬剤容器は、薬剤が浸出してくる部位の向きや容器自体の大きさも異なって、様々な形状のタイプがある。
【特許文献１】特開２００１−１７８７８９号公報
【発明の開示】
【発明が解決しようとする課題】
【０００３】
しかし、薬剤入り容器を手に取って肩や背面等の患部に薬剤を塗布する場合、自分の手では届かない箇所があり、その箇所に薬剤を塗布するには、他の人の手を借りるしかなかった。
また、自分の手では届きにくい患部に薬剤を充分に塗布するのは、負担となる作業であった。
そこで、本発明は、他の人の手を借りることなく薬剤を身体に塗布することができ、かつ、その作業を一器具で容易に行なえるようにすることを目的にしている。
【課題を解決するための手段】
【０００４】
上記の目的を達成するために、本発明に係る身体塗布剤容器のホルダは身体塗布剤を収納した塗布剤容器を着脱自在に取り付ける保持部材と、先端に上記保持部材を塗布角度調整可能に枢着したハンドル部材と、を有する。
また、身体塗布剤を収納した塗布剤容器を着脱自在に取り付ける保持部材と、先端に上記保持部材を塗布角度調整可能に枢着したハンドル部材と、を備え、さらに、上記保持部材は、上記ハンドル部材の先端に枢着される本体片部と、該本体片部の左右にヒンジ部を介して開閉可能に連結された挟着片と、を備え、かつ、挟着片の外面に複数の係止凹溝を形成すると共に、上記ハンドル部材はグリップ部から延伸された２本の弾性変形自在な線材を有し、該線材の先端が上記凹溝に択一的に係止して、塗布面を調整可能とした。
また、上記２本の弾性変形自在な線材に、スライド自在に取り付けられて２本の該線材の間隔を縮小する方向へ押圧規制して、上記係止凹溝への該線材の先端の係止を維持するためのスライドブロック体を、付設した。
そして、上記挟着片の外面に於いて、上記係止凹溝は、上記線材の先端の枢着点を中心とする放射状に設置されているものである。                                        
【発明の効果】
【０００５】
本発明は、次のような著大な効果を奏する。
本発明に係る身体塗布剤容器のホルダによれば、塗布剤容器を該容器ホルダの保持部材に取り付けることにより、自分の手の届かない背面や手の届きにくい患部に、薬剤を充分に塗布でき、その作業の負担も軽減できる。
また、上記保持部材が塗布剤容器を脱着自在な構造を有し、該保持部材の塗布角度を調整できることで、様々な寸法と形状のタイプのある塗布剤容器の中から所望の容器を取り付け、適切な角度で薬剤を塗布できる。
【発明を実施するための最良の形態】
【０００６】
以下、実施の形態に示す図面に基づき本発明を詳説する。
図１・図２と図４に於いて、本発明に係る身体塗布剤容器のホルダの実施の一形態を示し、この容器ホルダは、グリップ部８を基端に有すると共に、該グリップ部８から延伸された２本の弾性変形自在な線材９，９から成るハンドル部材３を備え、かつ、このハンドル部材３の先端には、塗布剤容器１を掴持する保持部材２が、角度可変として、枢着されている。さらに、該線材９，９は枢着点11に挿嵌されている。また、弾性の線材９，９は２本設けられている。その場合、２本の線材をグリップ部８にて連結してもよいが、好ましくは、１本の線材をコの字型に曲げ、その折り曲げた部分をグリップ部８に接合してもよい。
また、上記２本の線材９，９には、スライド自在に取り付けられて２本の該線材９，９の間隔を狭める方向に締めつけ、該線材９，９の先端の係止を維持するためのスライドブロック体10を、付設した。このブロック体10は、図４（Ａ）（Ｂ）に示すように、線材９，９が相互接近方向へ弾性変形する偏平一文字状孔部21を有し、その孔部21の左右内面が線材９，９と摺接する。図４（Ａ）で明らかなように、各線材９の先端は直角に曲げられている。
さらに、塗布剤容器１の薬剤が浸出してくる部位がより患部に密着できるように、該線材９，９は、所定の傾斜角度θをもって、その容器１の溶出部位の向く方向へ屈折している。この角度θは30°以上40°以下がよい。
【０００７】
また、図５・図６と図７で示す上記保持部材２の展開図では、上記保持部材２は、矩形板状の本体片部４と、該本体片部４左右に薄肉（一体成形）ヒンジ部５，５を介して開閉可能に連結された丸みのある台形板状の挟着片６，６から成り、該本体片部４は上記ハンドル部材３の先端折曲部が枢着される孔部20を備える。また、挟着片６，６の外面には複数の係止凹溝７，７が上記枢着点11から放射状に形成されている。さらに、上記保持部材２の容器掴持力を向上させるために、該本体片部４と挟着片６，６のそれぞれの内面には、滑り止め13が貼着され、かつ、上記容器１を掴持したときにその容器１の底面を支えるように突起部材12が付設されている。滑り止め13は、弾性材の板片を用いるのがよく、ゴムや軟質プラスチックのような摩擦係数の大きいものとする。
【０００８】
また、図３と図９に示す他の実施の形態に於いては、図８と対比すれば明らかなように、上記挟着片６外面に形成されるそれぞれの係止凹溝７は、突起体14，14をもってその間に形成されている。なお図１と図３に於いて、図１と同一の符号は図１と同様の構成であるので、説明を省略する。
【０００９】
上述した本発明である身体塗布剤容器のホルダの使用方法（作用）について説明する。  図１に於いて、スライドブロック体10を、ハンドル部材３に沿ってグリップ部８の方へスライドさせ、２本の線材９，９の間隔を拡張する。そして、係止凹溝７，７から該線材９，９を外し、上記保持部材２が展開できる位置まで、保持部材２を枢着点11を中心に回転させる。保持部材２の挟着片６，６を薄肉（一体成形）ヒンジ部５，５廻りに回転させ、展開する。
次に、図６に示す保持部材の展開内面図に於いて、塗布剤容器１の側面部が本体片部４の内面に、かつ、該容器１の底面部が本体片部４の突起部材12に接するように置き、挟着片６，６を、ヒンジ部５，５を軸に挟着片６，６の内面が該容器１の側面に接するまで回転させ、本体片部４と挟着片６，６とで該容器１を掴持した状態にする。
図２に於いて、該容器１を掴持した保持部材２を枢着点11を中心に回転させ、２本の線材９，９を、複数ある係止凹溝７，７の中から択一的に選択した該係止凹溝７，７へ嵌める。そして、スライドブロック体10を上記保持部材２の方向へスライドさせる。これにより、該スライドブロック体10が２本の該線材９，９の間隔を狭め、該線材９，９の先端の係止を維持する。
グリップ部８を手に取って、上記塗布剤容器１の薬剤が浸出してくる部位を患部に当て、薬剤を塗布する。
【００１０】
以上のように、本発明である身体塗布剤容器のホルダは、身体塗布剤を収納した塗布剤容器１を着脱自在に取り付ける保持部材２と、先端に上記保持部材２を塗布角度調整可能に枢着したハンドル部材３と、を備えているので、該塗布剤容器１を掴持した上記容器ホルダを手に取ることにより塗布可能な範囲が拡張され、自分の手の届かない背面や手の届きにくい箇所に薬剤を充分に塗布でき、その作業の負担も軽減できる。  
【００１１】
また、身体塗布剤を収納した塗布剤容器１を着脱自在に取り付ける保持部材２と、先端に上記保持部材２を塗布角度調整可能に枢着したハンドル部材３と、を備え、さらに、上記保持部材２は、上記ハンドル部材３の先端に枢着される本体片部４と、該本体片部４の左右にヒンジ部５，５を介して開閉可能に連結された挟着片６，６と、を備え、かつ、挟着片６，６の外面に複数の係止凹溝７，７を形成すると共に、上記ハンドル部材３はグリップ部８から延伸された２本の弾性変形自在な線材９，９を有し、該線材９，９の先端が上記凹溝７，７に択一的に係止する構成を有するので、上記塗布剤容器１の大きさに応じて本体片部４が該容器１を掴持でき、該容器１の薬剤が浸出してくる部位の向きに応じて塗布面の角度を調整できる。これにより、塗布剤容器１は様々な形状のタイプを有するが、所望の容器を選択でき、その薬剤の塗布作業を本発明の一器具で容易に行なうことができる。
【００１２】
また、上記２本の弾性変形自在な線材９，９に、スライド自在に取り付けられて２本の該線材９，９の間隔を縮小する方向へ押圧規制して、上記係止凹溝７，７への該線材９，９の先端の係止を維持するためのスライドブロック体10を、付設したので、該線材９，９が保持部材２を挟持する能力を高め、上記塗布剤容器１を安定して掴持できる。また、２本の該線材９，９によって上述の挟持能力を維持できれば、該スライドブロック体10を付設しない場合も考えられる。
【００１３】
また、上記挟着片６，６の外面に於いて、上記係止凹溝７，７は、上記線材９，９の先端の枢着点11を中心とする放射状に設置されているので、薬剤塗布面の角度を調整するために必要なハンドル部材３は、１つで済む。
【００１４】
また、図３に示す他の実施の形態に於いては、挟着片６，６が薄く構成され、該挟着片６，６の外面に係止凹溝７，７を設けると塗布剤容器１を掴持するのに必要な該挟着片６，６の強度が損なわれる場合に、有効な構造である。
また、該保持部材２の外面が、弾力性があり、かつ、摩擦力の高いゴム等を積層して構成されていれば、上記保持部材２の塗布角度を自由に調整できるので、上記係止凹溝７，７を設けなくても自由である。
【図面の簡単な説明】
【００１５】
【図１】本発明の第１の実施の形態を示す斜視図である。
【図２】第１の実施の形態を示す身体塗布剤取り付け後の斜視図である。
【図３】第２の実施の形態を示す斜視図である。
【図４】第１の実施の形態を示す断面図であり、（Ａ）は一部断面正面図、（Ｂ）は    断面側面図である。
【図５】第１の実施の形態を示す保持部材の展開外面図である。
【図６】第１の実施の形態を示す保持部材の展開内面図である。
【図７】第１の実施の形態を示す保持部材の展開正面図である。
【図８】第１の実施の形態を示す保持部材の断面正面図である。
【図９】第２の実施の形態を示す保持部材の断面正面図である。
【符号の説明】
【００１６】
１  塗布剤容器
２  保持部材
３  ハンドル部材
４  本体片部
５  ヒンジ部
６  挟着片
７  係止凹溝
８  グリップ部
９  線材
10  スライドブロック体
11  枢着点
【図１】
2005125173.tif 000003
【図２】
2005125173.tif 000004
【図３】
2005125173.tif 000005
【図４】
2005125173.tif 000006
【図５】
2005125173.tif 000007
【図６】
2005125173.tif 000008
【図７】
2005125173.tif 000009
【図８】
2005125173.tif 000010
【図９】
2005125173.tif 000011